(57)【要約】【課題】２つの室から使用することが可能な室内の収納構造を提供すること。【解決手段】室内の収納構造（１）は、第１室（１４）と、第１室（１４）とは役割の異なる第２室（１５）と、第１室（１４）と第２室（１５）との間に配置され、第１室（１４）側を向く第１面と、第２室（１５）側を向く第２面と、第１室（１４）と第２室（１５）とを結ぶ通路（１３）側を向く側面とを有する収納部（２）とを備える。収納部（２）は、側面から通路側に引き出し可能な引き出し（３２）を含む。【選択図】図１
2020054437.tif 000002
【特許請求の範囲】
【請求項１】
第１室と、
前記第１室とは役割の異なる第２室と、
前記第１室と前記第２室との間に配置され、前記第１室側を向く第１面と、前記第２室側を向く第２面と、前記第１室と前記第２室とを結ぶ通路側を向く側面とを有する収納部とを備え、
前記収納部は、前記側面から前記通路側に引き出し可能な引き出しを含む、室内の収納構造。
【請求項２】
前記第１室および前記第２室は、キッチン、ダイニング、リビング、洗面室および居室からなる群から選ばれたいずれかの室である、請求項１に記載の室内の収納構造。
【請求項３】
前記第１室と前記第２室との間を仕切る仕切り壁をさらに備え、
前記収納部の一方の側面は、前記通路側に面し、前記収納部の他方の側面は、前記仕切り壁に面する、請求項１または２に記載の室内の収納構造。
【請求項４】
前記第１室は、キッチンであり、
前記第２室は、ダイニングまたはリビングであり、
前記収納部は、コンロ付き流し台と、前記コンロ付き流し台に隣接して位置するキッチンカウンターとを備え、
前記キッチンカウンターは、床面から所定高さ位置まで延びるベース部と、前記ベース部の上面に位置する天板とを含み、
前記ベース部は、前記引き出しを有する、請求項１〜３のいずれかに記載の室内の収納構造。
【請求項５】
前記収納部は、前記コンロ付き流し台の前記通路側の前記側面を覆うサイドパネルを含む、請求項４に記載の室内の収納構造。
【請求項６】
前記収納部は、前記第１面および前記第２面の少なくともいずれかに設けられた収納棚を含む、請求項１〜５のいずれかに記載の室内の収納構造。
【発明の詳細な説明】
【技術分野】
【０００１】
この発明は、室内の収納構造に関する。
【背景技術】
【０００２】
従来から、収納構造の側面から収納物の収納および取り出しを行うことができる家具が知られている。このような家具として、たとえば特開平６−７０８１９号公報（特許文献１）および特開２０１５−１８８５９９号公報（特許文献２）などが知られている。
【０００３】
特許文献１には、土間側の前面に設けられる扉と、玄関ホール側の側面に設けられ、玄関ホール側にスライドさせて引き出すことができる収納箱とを備えた下駄箱が開示されている。特許文献２には、台所と通路の間に設けられ、台所側にスライドさせて引き出すことができる通路用家具が開示されている。
【先行技術文献】
【特許文献】
【０００４】
【特許文献１】特開平６−７０８１９号公報
【特許文献２】特開２０１５−１８８５９９号公報
【発明の概要】
【発明が解決しようとする課題】
【０００５】
特許文献１の下駄箱は玄関に設けられ、特許文献２の家具はキッチンに設けられるものであり、２つの室からのアクセスを考慮したものではない。
【０００６】
本発明は、上記のような課題を解決するためになされたものであって、その目的は２つの室から使用することが可能な室内の収納構造を提供することである。
【課題を解決するための手段】
【０００７】
本発明の一態様に係る室内の収納構造は、第１室と、第１室とは役割の異なる第２室と、第１室と第２室との間に配置され、第１室側を向く第１面と、第２室側を向く第２面と、第１室と第２室とを結ぶ通路側を向く側面とを有する収納部とを備え、収納部は、側面から通路側に引き出し可能な引き出しを含む。
【０００８】
好ましくは、第１室および前記第２室は、キッチン、ダイニング、リビング、洗面室および居室からなる群から選ばれたいずれかの室である。
【０００９】
好ましくは、第１室と第２室との間を仕切る仕切り壁をさらに備え、収納部の一方の側面は、通路側に面し、収納部の他方の側面は、仕切り壁に面する。
【００１０】
好ましくは、第１室は、キッチンであり、第２室は、ダイニングまたはリビングであり、収納部は、コンロ付き流し台と、前記コンロ付き流し台に隣接して位置するキッチンカウンターとを備え、キッチンカウンターは、床面から所定高さ位置まで延びるベース部と、前記ベース部の上面に位置する天板とを含み、ベース部は、引き出しを有する。
【００１１】
好ましくは、収納部は、コンロ付き流し台の通路側の側面を覆うサイドパネルを含む。
【００１２】
好ましくは、収納部は、第１面および第２面の少なくともいずれかに設けられた収納棚を含む。
【発明の効果】
【００１３】
本発明によれば、２つの室から使用することが可能となり、使い勝手が向上する。
【図面の簡単な説明】
【００１４】
【図１】本発明の実施の形態１に係る室内の収納構造を示す間取り図である。
【図２】本発明の実施の形態１における収納部をキッチン側から見た斜視図である。
【図３】本発明の実施の形態１における収納部の斜視図である。
【図４】本発明の実施の形態１における収納部の正面図である。
【図５】図４のＶ−Ｖ線に沿う断面図である。
【図６】図４のＶＩ−ＶＩ線に沿う断面図である。
【図７】図４のＶＩＩ−ＶＩＩ線に沿う断面図である。
【図８】本発明の実施の形態２に係る室内の収納構造を示す間取り図である。
【図９】本発明の実施の形態３に係る室内の収納構造を示す間取り図である。
【図１０】本発明の実施の形態４に係る室内の収納構造を示す間取り図である。
【発明を実施するための形態】
【００１５】
本発明の実施の形態について図面を参照しながら詳細に説明する。なお、図中同一または相当部分には同一符号を付してその説明は繰り返さない。
【００１６】
（実施の形態１）
図１，図２を参照して、本実施の形態に係る室内の収納構造１（以下、単に収納構造という）の概要について説明する。
【００１７】
収納構造１が用いられる住宅は、戸建住宅であってもよいし、マンションなど集合住宅内の一住戸であってもよい。住宅は、複数の室を有する。室とは、役割の異なる部屋であり、壁により完全に区切られている領域だけでなく、家具などで室内の一部が区切られる領域も含む。役割の異なる部屋とは、用途が異なる部屋や、用途が同じであっても使用者が異なる部屋である。室は、たとえばキッチン、ダイニング、リビング、洗面室および居室からなる群より選ばれたいずれかの室である。居室は、キッチン、ダイニング、リビング以外の室であり、たとえば洋室、和室、子供部屋、ベッドルームなどである。
【００１８】
図１に示すように、本実施の形態に係る収納構造１は、キッチン（第１室）１４と、キッチン１４とは役割の異なるダイニング（第２室）１５と、キッチン１４とダイニング１５との間に配置される収納部２とを備える。キッチン１４とダイニング１５とは、通路１３で結ばれている。
【００１９】
キッチン１４は、第１壁１１と第２壁１２と第３壁１０とで囲まれる空間に設けられる。キッチン１４には、コンロ付き流し台５が設けられる。コンロ付き流し台５は、たとえば平面視で略矩形形状であり、長尺の正面部５ａおよび背面部５ｂと、短尺の第１側部５ｃおよび第２側部５ｄとから構成される。第１側部５ｃは、第１壁１１側に位置して第１壁１１に接する。第２側部５ｄは、通路１３側に位置する。ここで、通路１３は、コンロ付き流し台５の第２側部５ｄと第２壁１２との間に設けられる。背面部５ｂの一部は、第１壁１１から室内に向かって突出する仕切り壁６に接する。仕切り壁６の内部には、水道管などの配管が設けられている。なお、キッチン１４には、第３壁１０に沿って、たとえば食器棚、冷蔵庫などが配置されている。
【００２０】
図２に示すように、コンロ付き流し台５は、作業部５１と、食品や食器などの洗い場となるシンク５２と、ガスコンロなどの加熱器具５３とが設けられる。これらの下方には、キッチンで用いる調理器具などを収納する足下収納５４が設けられる。
【００２１】
図１に示すように、ダイニング１５は、コンロ付き流し台５を境にキッチン１４と隣接しており、第１壁１１と第２壁１２との間に位置する。
【００２２】
上述のように、収納部２は、キッチン１４とダイニング１５との間に配置される。収納部２は、コンロ付き流し台５の背面部５ｂと仕切り壁６に面する。具体的には、後述する収納部２の第２側面板２４（図４）が、仕切り壁６の側面に面する。本実施の形態の収納部２は、対面式のキッチンカウンターである。キッチンカウンター２は、コンロ付き流し台５に隣接して位置する。具体的には、キッチンカウンター２は、コンロ付き流し台５に接する。
【００２３】
図２〜図７を参照して、本実施の形態の収納部であるキッチンカウンター２について説明する。図３において、矢印Ａ１で示す方向を左右方向、矢印Ａ２で示す方向を前後方向、矢印Ａ３で示す方向を上下方向という。
【００２４】
図３に示すように、キッチンカウンター２は、全体として箱型形状である。キッチンカウンター２は、床面から所定高さ位置まで延びるベース部２２と、ベース部２２の上面に位置する天板２１とを含む。
【００２５】
天板２１は、たとえば食器などを置くテーブルである。図２に示すように、天板２１の高さは、コンロ付き流し台５の高さよりも高い。また、図３に示すように、天板２１の下方には、天板２１を下方から支持する台座４３が取り付けられている。
【００２６】
ベース部２２は、概略的には、ダイニング１５側から使用可能な収納棚４９と、側面から通路１３側に引き出し可能な引き出し３２とを有する。本実施の形態では、収納棚４９の背面板２６側が「第１面」であり、収納棚４９が開口する側が「第２面」である。つまり、本実施の形態では、収納棚４９は、第２面に設けられる。
【００２７】
本実施の形態の収納棚４９は、たとえば、ダイニング１５側に開口する大収納棚部４５および小収納棚部４６，４７と、前面に扉板３０が設けられる扉付き収納棚部４８とを含む。
【００２８】
図３，図４，図７に示すように、大収納棚部４５は、通路１３側に面する第１側面板２３と仕切り板２５と背面板２６と棚板４４と台座４３とで囲まれている。大収納棚部４５の背面板２６には、コンセント４２が設けられる。大収納棚部４５には、コンセントを必要とする電化製品を収納することが好ましい。背面板２６にコンセント４２を設けることで、キッチンカウンター２に沿うようにテーブルを設けた場合であっても、テーブル上で電化製品が使用しやすい。また、大収納棚部４５は、上方に設けられるため、使用者が椅子に座ったまま電化製品のプラグの抜き差しができる。
【００２９】
図３，図４，図５に示すように、小収納棚部４６は、第２側面板２４と仕切り板２５と背面板２６と棚板２７，２８とで囲まれている。小収納棚部４７は、小収納棚部４６の下方に位置し、第２側面板２４と仕切り板２５と背面板２６と底面板２９と棚板２８とで囲まれている。
【００３０】
図５に示すように、扉付き収納棚部４８は、第２側面板２４と仕切り板２５と背面板２６と棚板２７と台座４３とで囲まれており、前面側（ダイニング１５側）には、扉板３０が取り付けられている。扉板３０は、ヒンジ３０ａを介して第２側面板２４に取り付けられている。扉板３０は、扉付き収納棚部４８の開口大きさよりも大きく形成されており、大収納棚部４５側に手を掛けて開閉することができる。
【００３１】
このように、大収納棚部４５、小収納棚部４６，４７および扉付き収納棚部４８をダイニング１５側に設けることで、ダイニング１５で使用する小物を収納することができる。また、大収納棚部４５および小収納棚部４６，４７には、扉が設けられていないため、ダイニング１５側に椅子が配置された場合でも、椅子を移動させることなく収納物を取り出すことができる。
【００３２】
図２，図３に示すように、引き出し３２は、大収納棚部４５の下方位置に設けられる。上述のように、引き出し３２は、通路１３側に向かって引き出し可能である。
【００３３】
図６をさらに参照して、引き出し３２は、前面板３１と背面板２６と仕切り板２５と棚板４４と底面板４０とで囲まれている空間内に位置する。引き出し３２は、たとえば上下二段で構成される。具体的には、引き出し３２は、主に、第３側面板３３と、第３側面板３３と対向する後壁３４と、第３側面板３３と後壁３４を連結する２段の棚板３６と、棚板３６に設けられた一対の側壁３５とから構成される。引き出し３２は、左右方向にスライド可能となるように、前面板３１および背面板２６に取り付けられている。本実施の形態では、たとえば側壁３５に、左右方向に沿って、両端縁にまで延びる溝部（図示せず）が設けられ、前面板３１および背面板２６には、左右方向に沿って、両端縁にまで延びるレール部３９が設けられる。側壁３５の溝部にレール部３９が嵌合することにより、引き出し３２は、通路１３側にスライド移動可能となる。
【００３４】
これにより、引き出し３２は、キッチン１４およびダイニング１５の両方で使用する収納物を収納することが可能である。たとえば、引き出し３２には、キッチン１４およびダイニング１５で使用する物、たとえばホットプレートや御盆などの調理器具、調味料などを収納してもよいし、キッチン１４およびダイニング１５用のゴミ箱としてもよい。また、引き出し３２には、キッチン１４およびダイニング１５で常に使用する必要性はないが、いざというときには直ぐに取り出せる位置に収納しておきたい防災グッズ、ペットボトルなどの備蓄品などを収納してもよい。引き出し３２を引き出すと通路１３に突出することになるが、通路１３には障害物を置くことが少なく、引き出し３２を引き出す際の障害物が少ないので使い勝手がよい。
【００３５】
また、キッチンカウンター２のベース部２２は、コンロ付き流し台５の通路１３側の第２側部５ｄを覆うサイドパネル４１を含む。サイドパネル４１は、ベース部２２の第１側面板２３から延出する。サイドパネル４１の高さは、サイドパネル４１のベース部２２と同じ高さである。コンロ付き流し台５の第２側部５ｄ側には、シンク５２が設けられるため、サイドパネル４１を設けることで、シンク５２からの水はねを防止することができる。
【００３６】
なお、上記実施の形態では、コンロ付き流し台５は、第１側部５ｃが第１壁１１に接し、第２側部５ｄが第２壁１２に接さずに通路１３が設けられる対面式カウンターであるとして説明したが、壁部に接していないアイランド式のキッチンカウンターでもよい。
【００３７】
また、上記実施の形態では、引き出し３２は、キッチンカウンター２に設けられるとしたが、キッチンカウンター２が設けられない場合は、たとえばコンロ付き流し台５の第２側部５ｄ（図１）から通路１３側に引き出し可能であればよい。
【００３８】
さらに、上記実施の形態では、引き出し３２は、側壁３５の溝部にレール部３９が嵌合することによりスライド移動可能となる構成であるとしたが、このような構成に限定されず、たとえば底面板４０が滑りやすい素材で構成されていたり、キャスタにより引き出し可能であってもよい。
【００３９】
また、上記実施の形態では、キッチンカウンター２のベース部２２は、ダイニング１５側に収納棚４９を有するとしたが、収納棚４９が設けられずに、単なる板材であってもよい。
【００４０】
また、上記実施の形態では、収納部は、キッチンカウンター２あり、キッチン１４とダイニング１５との間に設けられるとして説明したが、そのような構成に限定されない。以下の実施の形態では、収納構造１の他の構成例について説明する。以下に、実施の形態１との相違点のみ詳細に説明する。
【００４１】
（実施の形態２）
図８は、本発明の実施の形態２に係る収納構造１Ａを示す間取り図である。
【００４２】
図８を参照して、本実施の形態の収納構造１Ａは、キッチン１４ａとダイニング１５ａと洗面室１６と浴室１７とを備える。キッチン１４ａおよび洗面室１６は、第１壁１１ａと第２壁１２ａとの間に位置する。浴室１７は第１壁１１ａ、第２壁１２ａおよび第３壁１０との間に位置する。また、キッチン１４ａは洗面室１６に隣接し、洗面室１６は浴室１７に隣接する。キッチン１４ａと洗面室１６とは、通路１３ａで結ばれている。キッチン１４ａと洗面室１６との間には、たとえば食器棚（収納部）２ａが設けられる。食器棚２ａの通路１３ａと接する側面には、通路１３ａに引き出し可能な引き出し３２ａが設けられる。
【００４３】
これにより、本実施の形態の引き出し３２ａには、キッチン１４ａと洗面室１６の両方で使用する物、たとえば食器、洗濯兼用の洗剤、タオルなどを収納することができる。
【００４４】
（実施の形態３）
図９は、本発明の実施の形態３に係る収納構造１Ｂを示す間取り図である。
【００４５】
図９を参照して、本実施の形態の収納構造１Ｂは、第１居室１８と、第１居室１８に隣接する第２居室１９とを備える。第１居室１８および第２居室１９は、もともとは１つの広い居室、たとえば子供部屋であったが、子供の成長に合わせて家具（収納部）２ｂにより２つの居室に区切ったものである。第１居室１８と第２居室１９とは、通路１３ｂで結ばれている。第１居室１８と第２居室１９との間には、家具２ｂが設けられる。家具２ｂの通路１３ｂと接する側面には、通路１３ｂに引き出し可能な引き出し３２ｂが設けられる。
【００４６】
これにより、本実施の形態の引き出し３２ｂには、第１居室１８および第２居室１９で兼用して使用するもの、たとえば兄弟で兼用して使用する、洋服やタオルなどの日用品、書籍、文房具などを収納することができる。
【００４７】
（実施の形態４）
図１０は、本発明の実施の形態４に係る収納構造１Ｃを示す間取り図である。
【００４８】
図１０を参照して、本実施の形態の収納構造１は、キッチン１４ｃとリビングダイニング１５ｃとを備える。キッチン１４ｃは、第１壁１１ｃ、第２壁１２ｃおよび第３壁１０ｃとの間に位置する。また、キッチン１４ｃはリビングダイニング１５ｃに隣接する。キッチン１４ｃのコンロ付き流し台５は、第１壁１１ｃに接している。キッチン１４ｃとリビングダイニング１５ｃとは、通路１３ｃで結ばれている。キッチン１４ｃとリビングダイニング１５ｃとの間には、キッチンカウンター（収納部）２ｃが設けられる。キッチンカウンター２ｃは、コンロ付き流し台５のリビングダイニング１５ｃ側の短尺の側面に接している。この収納部２ｃは、キッチン１４ｃとリビングダイニング１５ｃとを結ぶ通路１３ｃに引き出し可能である。
【００４９】
これにより、上述した実施の形態１と同様に、本実施の形態の引き出し３２ｃには、キッチン１４ｃおよびリビングダイニング１５ｃで兼用して使用するものを収納することができる。
【００５０】
以上、図面を参照してこの発明の実施の形態を説明したが、この発明は、図示した実施の形態のものに限定されない。図示した実施の形態に対して、この発明と同一の範囲内において、あるいは均等の範囲内において、種々の修正や変形を加えることが可能である。
【符号の説明】
【００５１】
１，１Ａ，１Ｂ，１Ｃ  収納構造、２，２ｃ  キッチンカウンター（収納部）、２ａ  食器棚（収納部）、２ｂ  家具（収納部）、５  コンロ付き流し台、５ａ  正面部、５ｂ  背面部、５ｃ  第１側部、５ｄ  第２側部、６  仕切り壁、１０  第３壁、１１，１１ａ，１１ｃ  第１壁、１２，１２ａ  第２壁、１３，１３ａ，１３ｂ，１３ｃ  通路、１４，１４ａ，１４ｃ  キッチン、１５  ダイニング、１５ｃ  リビングダイニング、１６  洗面室、１７  浴室、１８  第１居室、１９  第２居室、２１  天板、２２  ベース部、２３  第１側面板、２４  第２側面板、２５  仕切り板、２６  背面板、２９  底面板、２７，２８，３６，４４  棚板、２９，４０  底面板、３０  扉板、３０ａ  ヒンジ、３１  前面板、３２，３２ａ，３２ｂ，３２ｃ  引き出し、３３  第３側面板、３４  後壁、３５  側壁、３９  レール部、４１  サイドパネル、４２  コンセント、４３  台座、４５  大収納棚部、４６，４７  小収納棚部、４８  扉付き収納棚部、４９  収納棚、５１  作業部、５２  シンク、５３  加熱器具、５４  足下収納。
【図１】
2020054437.tif 000003
【図２】
2020054437.tif 000004
【図３】
2020054437.tif 000005
【図４】
2020054437.tif 000006
【図５】
2020054437.tif 000007
【図６】
2020054437.tif 000008
【図７】
2020054437.tif 000009
【図８】
2020054437.tif 000010
【図９】
2020054437.tif 000011
【図１０】
2020054437.tif 000012